【手続補正書】
【提出日】平成15年10月2日(2003.10.2)
【手続補正１】
【補正対象書類名】明細書
【補正対象項目名】発明の名称
【補正方法】変更
【補正の内容】
【発明の名称】スクリーン印刷機、印刷状態監視装置およびスクリーン印刷方法


【手続補正２】
【補正対象書類名】明細書
【補正対象項目名】特許請求の範囲
【補正方法】変更
【補正の内容】
【特許請求の範囲】
【請求項１】
ペースト状の材料をワークの所望の位置へ供給するためのスクリーン印刷機において、印刷結果を監視する印刷状態監視手段と、監視結果に応じて印刷条件を変更する印刷条件変更手段と、監視結果に応じて印刷条件を変更してリトライさせる判定リトライ手段と、規定回数以上印刷条件を変更しても印刷結果が改善されない場合に作業者へ指示を促す指示手段とを有するスクリーン印刷機。
【請求項２】
規定回数以上印刷条件を変更しても印刷結果が改善されない場合に印刷不良発生要因を推定する印刷不良推定手段を有し、印刷条件変更手段は印刷不良推定手段の推定結果に基づいた変更指示を行う請求項１記載のスクリーン印刷機。
【請求項３】
印刷条件の変更履歴を保持する条件変更履歴保持部を有する請求項１または２に記載のスクリーン印刷機。
【請求項４】
スクリーンを監視するスクリーン監視手段を有する請求項１〜３の何れかに記載のスクリーン印刷機。
【請求項５】
サポートピンの位置を検出するサポートピン位置検出手段を有する請求項１〜４の何れかに記載のスクリーン印刷機。
【請求項６】
スクリーン監視手段は、スクリーンの監視を裏面側から行う請求項４に記載のスクリーン印刷機。
【請求項７】
印刷状態監視手段とスクリーン監視手段とを切り替える手段を有する請求項４に記載のスクリーン印刷機。
【請求項８】
ペースト状の材料をワークの所望の位置へ供給するスクリーン印刷機に接続され、スクリーン印刷機による印刷状態を監視する印刷状態監視装置であって、スクリーン印刷した印刷結果を監視する印刷状態監視手段と、監視結果に応じて印刷条件を変更する印刷条件変更手段と、印刷条件変更手段により変更された印刷条件内容を出力する手段とを有する印刷状態監視装置。
【請求項９】
規定回数以上印刷条件を変更しても印刷結果が改善されない場合に印刷不良発生要因を推定する印刷不良推定手段を有し、印刷条件変更手段は印刷不良推定手段の推定結果に基づいた変更指示を行う請求項８記載の印刷状態監視装置。
【請求項１０】
印刷条件の変更履歴を保持する条件変更履歴保持部を有する請求項８または９に記載の印刷状態監視装置。
【請求項１１】
スクリーンを監視するスクリーン監視手段を有する請求項８〜１０の何れかに記載の印刷状態監視装置。
【請求項１２】
スクリーン印刷機におけるサポートピンの位置を検出するサポートピン位置検出手段を有する請求項８〜１１の何れかに記載の印刷状態監視装置。
【請求項１３】
スクリーン監視手段は、スクリーンの監視を裏面側から行う請求項１１に記載の印刷状態監視装置。
【請求項１４】
印刷状態監視手段とスクリーン監視手段とを切り替える手段を有する請求項１１に記載の印刷状態監視装置。
【請求項１５】
ペースト状の材料をワークの所望の位置へ供給するためのスクリーン印刷方法において、印刷結果を監視する工程と、監視結果に応じて印刷条件を変更する工程と、監視結果に応じて行う印刷条件の変更をリトライする工程と、規定回数以上印刷条件を変更しても印刷結果が改善されない場合に作業者へ指示を促す工程とを有するスクリーン印刷方法。
【請求項１６】
ペースト状の材料をワークの所望の位置へ供給するためのスクリーン印刷方法において、印刷結果を監視する工程と、監視結果に応じて印刷条件を変更する工程と、監視結果に応じて行う印刷条件の変更をリトライする工程と、規定回数以上印刷条件を変更しても印刷結果が改善されない場合に印刷不良発生要因を推定する工程と、推定結果に基づいた変更指示を行う工程とを有するスクリーン印刷方法。
【手続補正３】
【補正対象書類名】明細書
【補正対象項目名】００３５
【補正方法】変更
【補正の内容】
【００３５】
上記課題を解決するために、本発明は、ペースト状の材料をワークの所望の位置へ供給するためのスクリーン印刷機において、印刷結果を監視する印刷状態監視手段と、監視結果に応じて印刷条件を変更する印刷条件変更手段と、監視結果に応じて印刷条件を変更してリトライさせる判定リトライ手段と、規定回数以上印刷条件を変更しても印刷結果が改善されない場合に作業者へ指示を促す指示手段とを有するものである。
また、本発明は、ペースト状の材料をワークの所望の位置へ供給するスクリーン印刷機に接続され、スクリーン印刷機による印刷状態を監視する印刷状態監視装置であって、スクリーン印刷した印刷結果を監視する印刷状態監視手段と、監視結果に応じて印刷条件を変更する印刷条件変更手段と、印刷条件変更手段により変更された印刷条件内容を出力する手段とを有するものである。
【手続補正４】
【補正対象書類名】明細書
【補正対象項目名】００４４
【補正方法】変更
【補正の内容】
【００４４】
本発明の請求項７に記載の発明は、請求項４の発明において、印刷状態監視手段とスクリーン監視手段とを切り替える手段を有することを特徴としており、認識判定部を複数保持する必要がなくなり、印刷機の構成が簡素化され、小型化できるという作用を有する。
本発明の請求項８に記載の発明は、ペースト状の材料をワークの所望の位置へ供給するスクリーン印刷機に接続され、スクリーン印刷機による印刷状態を監視する印刷状態監視装置であって、スクリーン印刷した印刷結果を監視する印刷状態監視手段と、監視結果に応じて印刷条件を変更する印刷条件変更手段と、印刷条件変更手段により変更された印刷条件内容を出力する手段とを有することを特徴とする。
本発明の請求項９に記載の発明は、請求項８の発明において、規定回数以上印刷条件を変更しても印刷結果が改善されない場合に印刷不良発生要因を推定する印刷不良推定手段を有し、印刷条件変更手段は印刷不良推定手段の推定結果に基づいた変更指示を行うことを特徴とする。
本発明の請求項１０に記載の発明は、請求項８または９の発明において、印刷条件の変更履歴を保持する条件変更履歴保持部を有することを特徴とする。
本発明の請求項１１に記載の発明は、請求項８〜１０の発明において、スクリーンを監視するスクリーン監視手段を有することを特徴とする。
本発明の請求項１２に記載の発明は、請求項８〜１１の発明において、スクリーン印刷機におけるサポートピンの位置を検出するサポートピン位置検出手段を有することを特徴とする。
本発明の請求項１３に記載の発明は、請求項１１の発明において、スクリーン監視手段は、スクリーンの監視を裏面側から行うことを特徴とする。
本発明の請求項１４に記載の発明は、請求項１１の発明において、印刷状態監視手段とスクリーン監視手段とを切り替える手段を有することを特徴とする。
【手続補正５】
【補正対象書類名】明細書
【補正対象項目名】００４５
【補正方法】変更
【補正の内容】
【００４５】
本発明の請求項１５に記載の発明は、ペースト状の材料をワークの所望の位置へ供給するためのスクリーン印刷方法において、印刷結果を監視する工程と、監視結果に応じて印刷条件を変更する工程と、監視結果に応じて行う印刷条件の変更をリトライする工程と、規定回数以上印刷条件を変更しても印刷結果が改善されない場合に作業者へ指示を促す工程とを有することを特徴としており、印刷結果に応じて印刷条件を変更することで、印刷品質を安定化させ、印刷条件の変更では対処できない印刷不良が生じたときには印刷を中止し、作業者に対処を要求することにより印刷不良の発生を最小限にとどめるという作用を有する。


【手続補正６】
【補正対象書類名】明細書
【補正対象項目名】００４６
【補正方法】変更
【補正の内容】
【００４６】
本発明の請求項１６に記載の発明は、ペースト状の材料をワークの所望の位置へ供給するためのスクリーン印刷方法において、印刷結果を監視する工程と、監視結果に応じて印刷条件を変更する工程と、監視結果に応じて行う印刷条件の変更をリトライする工程と、規定回数以上印刷条件を変更しても印刷結果が改善されない場合に印刷不良発生要因を推定する工程と、推定結果に基づいた変更指示を行う工程とを有することを特徴としており、印刷結果に応じて印刷条件を変更することで、印刷品質を安定化させ、印刷条件の変更では対処できない印刷不良が生じたときには印刷不良の発生要因を推定し、その対処方法を作業者に要求することにより印刷不良の発生を最小限にとどめるだけでなく、印刷品質の安定化のために作業の熟練を必要としないという作用を有する。